(57)【特許請求の範囲】
【請求項１】
移動部材を所定の範囲内で移動可能に支持するガイド軸の固定構造に於いて、
前記ガイド軸を固定する固定部材の一端部にガイド軸の一端部が嵌入される孔部を形成すると共に、該固定部材の他端部に前記ガイド軸の他端部が載置されるＶ溝部を形成し、該Ｖ溝部に載置されたガイド軸の他端部の近傍にねじ部材をガイド軸の軸線と直交する方向にねじ込んで、該ねじ部材の頂部を前記ガイド軸の他端部に押し付けることにより、該ねじ部材の頂部と前記ガイド軸の他端部間のいずれか一方のテーパ面を介してガイド軸の他端部を前記Ｖ溝部に押し付けると共にガイド軸の一端部を前記孔部に押し付けることによりガイド軸を固定部材に固定することを特徴とする移動部材のガイド軸固定構造。
【発明の詳細な説明】
【０００１】
【産業上の利用分野】
本発明は移動部材のガイド軸固定構造に係り、特に写真フイルムの焼付装置、フイルム画像入力装置、ズームレンズ装置等に適用されるミラー、レンズ等の移動部材のガイド軸固定構造に関する。
【０００２】
【従来の技術】
写真フイルムの焼付装置では、焼き付け前にネガフイルムのコマの露光量を予め測定し、測定した露光量に基づいて焼き付け時の露光量をコマ毎に設定している。その機構は、光源で照射されたネガフイルムの透過画像光の光軸上に移動部材である反射ミラーを進出させ、反射ミラーで前記透過画像光を光量測定センサに導くようにしている。また、光量測定が終了すると、反射ミラーを再び退避移動させる。
【０００３】
前記反射ミラーは、ガイド軸によってホームポジション位置から透過画像光の光軸上の範囲内で往復移動可能に支持されると共に、ステッピングモータで駆動されるリードスクリュウによって前記範囲内で往復移動される。即ち、ステッピングモータに所定のパルス数の信号を出力してステッピングモータを駆動させると、反射ミラーはホームポジション位置から光軸上の所定位置に停止する。
【０００４】
ところで、前記ガイド軸は図５に示す固定プレート１に固定される。固定プレート１の両端部には折曲片２、３が形成され、その左端部の折曲片２には、ガイド軸４の左端部４Ａが嵌入される孔部２Ａが形成されると共に、右端部の折曲片３には、ガイド軸４を挿入するための孔部３Ａが形成される。ガイド軸４は、前記折曲片３の孔部３Ａから図中二点鎖線で示すように、ガイド軸４の左端部４Ａを先頭にして挿入され、そして、左端部４Ａを折曲片２の孔部２Ａに嵌入した後、Ｅリング５をガイド軸４の左端部４Ａと折曲片２との間、及び右端部４Ｂと折曲片３との間に挿入することにより抜け止めされて固定プレート１に固定される。
【０００５】
一方、ズームレンズ装置の移動レンズにおいても、前述したガイド軸の固定構造が採用されている。
【０００６】
【発明が解決しようとする課題】
しかしながら、従来の移動部材のガイド軸固定構造は、ガイド軸４を支持する孔部２Ａと孔部３Ａとの位置精度、及び振れ精度を精度良く加工しなければガイド軸４を固定することができなくなるので、孔部２Ａ、３Ａの加工が困難であるという欠点がある。
【０００７】
また、前記ガイド軸固定構造では、ガイド軸４を折曲片３の孔部３Ａから挿入しなければならないので、折曲片３の外側にガイド軸４の軸長以上の組み込みスペースが必要になるという欠点がある。
更に、前記ガイド軸固定構造では、両側にＥリング５、５が設けられているので、ガイド軸４の軸方向にガタが生じる場合があり、そのガタによって移動部材の位置がズレるという欠点がある。
【０００８】
本発明は、このような事情に鑑みてなされたもので、加工が容易で、ガイド軸の組み込みスペースが小さく、ガイド軸をガタなく固定することができる移動部材のガイド軸固定構造を提供することを目的とする。
【０００９】
【課題を解決するための手段】
本発明は、前記目的を達成するために、移動部材を所定の範囲内で移動可能に支持するガイド軸の固定構造に於いて、前記ガイド軸を固定する固定部材の一端部にガイド軸の一端部が嵌入される孔部を形成すると共に、該固定部材の他端部に前記ガイド軸の他端部が載置されるＶ溝部を形成し、該Ｖ溝部に載置されたガイド軸の他端部の近傍にねじ部材をガイド軸の軸線と直交する方向にねじ込んで、該ねじ部材の頂部を前記ガイド軸の他端部に押し付けることにより、該ねじ部材の頂部と前記ガイド軸の他端部間のいずれか一方のテーパ面を介してガイド軸の他端部を前記Ｖ溝部に押し付けると共にガイド軸の一端部を前記孔部に押し付けることによりガイド軸を固定部材に固定することを特徴としている。
【００１０】
【作用】
請求項１記載の発明によれば、固定部材の一端部に形成した孔部にガイド軸の一端部を嵌入し、そして、固定部材の他端部に形成したＶ溝部にガイド軸の他端部を載置し、そして、Ｖ溝部に載置されたガイド軸の他端部の近傍にねじ部材をねじ込んで、このねじ部材の頂部でガイド軸の他端部をＶ溝部に押し付けることによりガイド軸を固定部材に固定する。この時、ねじ部材の頂部とガイド軸の他端部間のいずれか一方のテーパ面を介してガイド軸を押圧するようにしたので、テーパ面による力の分力で、ガイド軸の他端部はＶ溝部に押し付けられ、そして、ガイド軸の一端部は孔部に押し付けられる。これにより、本発明では、ガイド軸をガタなく固定部材に固定することができる。
【００１１】
【実施例】
以下添付図面に従って本発明に係る移動部材のガイド軸固定構造の好ましい実施例について説明する。
図１は、本発明に係る移動部材のガイド軸固定構造が写真フイルムの焼付装置に適用された実施例を示す構造図である。
【００１２】
同図に示す写真フイルムの焼付装置の本体１０内には、その側面に現像済みネガフイルム１２の挿入口１４が形成される。挿入口１４から挿入された前記ネガフイルム１２の上方には、このネガフイルム１２を照射する光源１６が設置される。光源１６の下方には、後述する反射ミラー１８の移動機構２０が設けられ、この移動機構２０の下方には投影レンズ２２が設置される。投影レンズ２２は、ネガフイルム１２の透過光の光軸２４上に設置され、その透過光を、本体１０の下方にセットされた印画紙２６に投影することができる。これにより、印画紙２６には、ネガフイルム１２の写真画像が焼き付けられる。
【００１３】
前記反射ミラー１８の移動機構２０は、反射ミラー１８を保持した移動部材である枠体２８、枠体２８を往復移動可能に支持するガイド軸３０、枠体２８に取り付けられたアクチュエータ３２、枠体２８を移動させるステッピングモータ３４等から構成される。
前記反射ミラー１８は、図１中実線で示すように光軸２４上に位置した時に、前記透過画像光を右方向に９０度反射させる位置に前記枠体２８に固定されている。反射ミラー１８で反射された透過画像光は、その延長上に設置された光量測定センサ３６で明るさが測定される。
【００１４】
前記枠体２８は、下部に形成されたピン３８が移動コマ４０の凹部４２に係合され、この移動コマ４０は前記ステッピングモータ３４に直結されたリードスクリュウ４４に螺合されている。前記リードスクリュウ４４は、反射ミラー２８で反射された透過画像光の反射光軸４６と平行に配設されている。また、ステッピングモータ３４は、パルス発振回路４８から出力される所定のパルス数の信号によって駆動制御され、このパルス発振回路４８は、外部スイッチ４９のオン／オフ操作で駆動／停止する電源５０によって駆動される。従って、外部スイッチ４９をオンして電源５０を立ち上げ、パルス発振回路４８からステッピングモータ３４に所定数のパルス信号を出力すると、ステッピングモータ３４の駆動力でリードスクリュウ４４が回転する。リードスクリュウ４４が回転すると、移動コマ４０がガイド軸３０にガイドされてリードスクリュウ４４に沿って移動することにより枠体２８が移動コマ４０を介して透過光の反射光軸４６と平行にスライド移動する。
【００１５】
前記枠体２８の移動経路上には、ホームポジションセンサであるマイクロスイッチ５２（又はフォトインタラプラタ５２）が設けられる。このマイクロスイッチ５２は、アクチュエータ３２の右端部３２Ａと当接可能な位置に設置され、アクチュエータ３２が当接することにより電源５０をオフにする。これにより、枠体２８はステッピングモータ３４による移動が停止され、その停止した位置（図１中二点鎖線で示す位置）が枠体２８のホームポジションとなっている。また、枠体２８は、ステッピングモータ３４によって前記ホームポジション位置から図中左方向に移動され、パルス発振回路４８からステッピングモータ３４に出力された所定数のパルス信号に応じた位置、即ち、光軸２４上に位置した位置で停止する。
【００１６】
次に、前記ガイド軸３０の固定構造について説明する。前記ガイド軸３０は、写真フイルムの焼付装置の本体１０に固着された固定プレート５４に固定される。この固定プレート５４は図２に示すように、その左端部に折曲片５６が形成されると共に、その右端部近傍に板状の支持片５８が立設されている。
前記折曲片５６の略中央部には孔部６０が形成され、この孔部６０には、ガイド軸３０の左端部に形成された小径軸３０Ａが嵌入される。また、前記支持片５８には、図３に示すようにＶ溝６２が形成され、このＶ溝６２には、ガイド軸３０の右端部３０Ｂが載置される。前記孔部６０とＶ溝６２とは、孔部６０にガイド軸３０の小径軸３０Ａを嵌入すると共にガイド軸３０の右端部３０Ｂを前記Ｖ溝６２に載置した時に、ガイド軸３０が前記反射光軸４６に対して平行となる位置に形成される。
【００１７】
また、図２に示すようにねじ孔６４が、前記固定プレート５４の右端面で、且つガイド軸３０の右端部３０Ｂの下方に対応した位置に形成される。前記ねじ孔６４には皿ねじ６６がねじ込まれる。皿ねじ６６をねじ孔６４にねじ込むと、ガイド軸３０の右端部３０Ｂの縁部３０Ｃが、皿ねじ６６の頂部６８に形成されたテーパ面６８ＡによってＶ溝６２に押し付けられるようになっている。
【００１８】
従って、このように構成されたガイド軸３０の軸固定構造によれば、ガイド軸３０の左端部３０Ａを折曲片５６の孔部６０で支持し、ガイド軸３０の右端部３０Ｂを支持片５８のＶ溝６２で支持するようにしたので、ガイド軸４の両端部４Ａ、４Ｂを折曲片２、３の孔部２Ａ、３Ａで支持する従来のガイド軸固定構造（図５参照）と比較して、孔部６０とＶ溝６２の加工精度は要求されず、これにより、加工が容易となる。
【００１９】
また、本実施例のガイド軸固定構造は、ガイド軸３０をＶ溝６２に載置して固定するようにしたので、ガイド軸４を折曲片３の孔部３Ａから挿入する従来のガイド軸固定構造（図５参照）と比較して、ガイド軸３０の組み込みスペースを小さくすることができる。
更に、本実施例では、皿ねじ６６のテーパ面６８Ａを利用してガイド軸３０を固定するようにしたので、テーパ面６８Ａによる力の分力が作用する。即ち、下方向の分力によって、ガイド軸３０の右端部３０ＢはＶ溝６２に押し付けられ、そして、軸方向の分力によって、ガイド軸３０の左端部は折曲片５６に押し付けられるので、ガイド軸３０をガタなく固定プレート５４に固定することができる。
【００２０】
本実施例では、皿ねじ６６でガイド軸３０を固定するようにしたが、これに限られるものではなく、例えば図４に示すように、ガイド軸３０の右端部３０Ｃの縁部にテーパ面３０Ｄを形成し、そのテーパ面３０Ｄになべねじ７０の頂部７２の縁部７２Ａを押し付けるようにしても同様な効果を得ることができる。
また、本実施例では、写真フイルムの焼付装置に適用された移動部材のガイド軸固定構造について述べたが、これに限られるものではなく、フイルム画像をテープ、磁気ディスク等に記録するフイルム画像入力装置、ズームレンズ装置等に適用してもよい。
【００２１】
【発明の効果】
以上説明したように、本発明に係る移動部材のガイド軸固定構造によれば、固定部材の一端部に形成した孔部にガイド軸の一端部を嵌入し、固定部材の他端部に形成したＶ溝部にガイド軸の他端部を載置し、そして、Ｖ溝部に載置されたガイド軸の他端部の近傍にねじ部材をねじ込んで、ねじ部材の頂部とガイド軸の他端部間のいずれか一方のテーパ面を介してガイド軸を押圧するようにしたので、テーパ面による力の分力で、ガイド軸の他端部はＶ溝部に押し付けられ、そして、ガイド軸の一端部は孔部に押し付けられる。これにより、本発明では、加工が容易となり、また、ガイド軸の組み込みスペースを小さくでき、更に、ガイド軸をガタなく固定することができる。
【図面の簡単な説明】
【図１】本発明に係る移動部材のガイド軸固定構造が写真フイルムの焼付装置に適用された実施例を示す構造図
【図２】本発明に係る移動部材のガイド軸固定構造の実施例を示す構造図
【図３】図２中３−３線から見た移動部材のガイド軸固定構造の断面図
【図４】本発明に係る移動部材のガイド軸固定構造の他の実施例を示す要部拡大図
【図５】従来の移動部材のガイド軸固定構造の実施例を示す説明図
【符号の説明】
１０…写真フイルムの焼付装置本体
１８…反射ミラー
２０…反射ミラーの移動機構
２８…枠体
３０…ガイド軸
３２…アクチュエータ
３４…ステッピングモータ
４４…リードスクリュウ
５４…固定プレート
５６…折曲片
５８…支持片
６０…孔部
６２…Ｖ溝
６６…皿ねじ
【図１】
0003601725.tif 000002
【図２】
0003601725.tif 000003
【図３】
0003601725.tif 000004
【図４】
0003601725.tif 000005
【図５】
0003601725.tif 000006